(57)【要約】【課題】動画自分撮り撮影時のスルー画を静止画自分撮り撮影時のスルー画と同一とする画像装置を提供する。【解決手段】デジタルカメラは、鏡筒ユニット２０に配設され、被写体像を撮像して画像を取得する撮像素子２２と、取得した画像に基づいて、表示用画像と記録用画像を生成する画像生成手段と、表示用画像を背面表示器１１に表示する表示制御手段と、記録用画像を記録媒体に記録する記録手段と、通常撮影と自分撮り撮影を検出する検出手段と、動画モードと静止画モードを選択する選択手段とを備える。動画モードで撮影しているとき、画像生成手段は、正立した被写体の左右を反転した動画が表示器１１に表示されるよう、撮像素子２２から出力される画像を処理する。【選択図】      図１
2008053925.tif 000002
【特許請求の範囲】
【請求項１】
撮影光学系を備える鏡筒と、背面に表示器を備える本体部とを回転可能に連結し、前記撮影光学系を撮影者と対峙する被写体に向けた通常撮影、および前記撮影光学系を前記撮影者に向けた自分撮り撮影のいずれかで撮影可能な撮影装置において、
前記鏡筒に配設され、被写体像を撮像して画像を取得する撮像素子と、
前記取得した画像に基づいて、表示用画像を生成する画像生成手段と、
前記通常撮影と前記自分撮り撮影を検出する撮影検出手段と、
動画モードと静止画モードを選択する選択手段とを備え、
前記動画モードが選択されて前記自分撮り撮影が検出されているとき、前記画像生成手段は第１の画像処理を行い、正立した被写体の左右を反転した動画が前記表示器に表示されるよう、前記撮像素子から出力される画像を処理することを特徴とする撮影装置。
【請求項２】
請求項１に記載の撮影装置において、
前記撮影装置の横位置撮影姿勢と縦位置撮影姿勢を検出する姿勢検出手段をさらに備え、
前記画像生成手段は、前記動画モードが選択され、前記縦位置撮影姿勢および前記自分撮り撮影が検出されているときは、前記第１の画像処理とは異なる画像処理により、正立した被写体の左右を反転した動画が前記表示器に表示されるよう、前記撮像素子から出力される画像を処理することを特徴とする撮影装置。
【請求項３】
請求項２に記載の撮影装置において、
前記姿勢検出手段は、前記横位置撮影姿勢から時計回転方向に９０度回転した縦位置＋９０度姿勢と、前記横位置撮影姿勢から反時計回転方向に９０度回転した縦位置−９０度姿勢を検出し、
前記画像生成手段は、前記動画モードが選択され、前記縦位置＋９０度姿勢および前記自分撮り撮影が検出されているときは第２の画像処理により、前記動画モードが選択され、前記縦位置−９０度姿勢および前記自分撮り撮影が検出されているときは第３の画像処理により、正立した被写体の左右を反転した動画が前記表示器に表示されるよう、前記撮像素子から出力される画像を処理することを特徴とする撮影装置。
【発明の詳細な説明】
【技術分野】
【０００１】
本発明は、いわゆるスイバル式デジタルカメラにより自分撮り撮影した場合の表示技術に関する。
【背景技術】
【０００２】
撮像部が本体部に対して回転可能に保持されるデジタルカメラが知られている（例えば、特許文献１参照）。このようなカメラでは、本体部にディスプレイ（例えば液晶モニタ）が設けられ、撮像部を１８０度回転させて、ディスプレイを見ながら自分自身を撮影することが可能である。この場合、静止画の自分撮り撮影時は、表示モニタに表示する画像を鏡像となるように画像処理を施している。
【０００３】
【特許文献１】特開２００５−１３４６１４号公報
【発明の開示】
【発明が解決しようとする課題】
【０００４】
しかしながら、動画の自分撮り撮影時は、静止画のような処理を行っていないので、表示モニタには上下反転した画像が表示され、違和感があった。
【課題を解決するための手段】
【０００５】
（１）請求項１の発明は、撮影光学系を備える鏡筒と、背面に表示器を備える本体部とを回転可能に連結し、撮影光学系を撮影者と対峙する被写体に向けた通常撮影、および撮影光学系を撮影者に向けた自分撮り撮影のいずれかで撮影可能な撮影装置に適用される。そして、この撮影装置は、鏡筒に配設され、被写体像を撮像して画像を取得する撮像素子と、取得した画像に基づいて、表示用画像を生成する画像生成手段と、通常撮影と自分撮り撮影を検出する撮影検出手段と、動画モードと静止画モードを選択する選択手段とを備え、動画モードが選択されて自分撮り撮影が検出されているとき、画像生成手段は第１の画像処理を行い、正立した被写体の左右を反転した動画が表示器に表示されるよう、撮像素子から出力される画像を処理することを特徴とする。
（２）請求項２の発明は、請求項１に記載の撮影装置において、撮影装置の横位置撮影姿勢と縦位置撮影姿勢を検出する姿勢検出手段をさらに備え、画像生成手段は、動画モードが選択され、縦位置撮影姿勢および自分撮り撮影が検出されているときは、第１の画像処理とは異なる画像処理により、正立した被写体の左右を反転した動画が表示器に表示されるよう、撮像素子から出力される画像を処理することを特徴とする。
（３）請求項３の発明は、請求項２に記載の撮影装置において、姿勢検出手段は、横位置撮影姿勢から時計回転方向に９０度回転した縦位置＋９０度姿勢と、横位置撮影姿勢から反時計回転方向に９０度回転した縦位置−９０度姿勢を検出し、画像生成手段は、動画モードが選択され、縦位置＋９０度姿勢および自分撮り撮影が検出されているときは第２の画像処理により、動画モードが選択され、縦位置−９０度姿勢および自分撮り撮影が検出されているときは第３の画像処理により、正立した被写体の左右を反転した動画が表示器に表示されるよう、撮像素子から出力される画像を処理することを特徴とする。
【発明の効果】
【０００６】
本発明によれば、動画自分撮り撮影時に、被写体が正立し、左右が反転した画像を表示器に表示することができ、ユーザに違和感を与えることがない。
【発明を実施するための最良の形態】
【０００７】
図１〜図９により本発明の一実施の形態を説明する。
図１（ａ）〜（ｃ）に示すように、デジタルカメラ１００は、本体部１０と、鏡筒ユニット２０とを有する。本体部１０と鏡筒ユニット２０は図示しないスイバル機構により回転可能に連結されている。本体部１０は、背面に表示モニタ１１を備え、少なくとも静止画撮影および動画撮影と、記録済画像の再生が可能である。鏡筒ユニット２０は、撮影レンズ２１と、後述する撮像素子（例えばＣＣＤやＣＭＯＳ）２２を有する。撮像素子２２は長方形形状である。
【０００８】
撮影者は、通常、本体部１０のグリップを握ってカメラ１００を保持し、カメラ１００の背面にある表示モニタ１１を見ながら撮影を行う。図１（ｂ）は横位置通常撮影時のカメラ１００の姿勢を示す。図１（ｂ）では、撮影者はカメラ１００を横位置に構え、撮影レンズ２１は撮影者とは反対側の被写体に向けられている。図１（ｃ）は横位置自分撮り撮影時のカメラの１００の姿勢を示し、撮影レンズ２１は撮影者に向けられている。すなわち、撮影レンズ２１は背面モニタ１１の表示面側に向けられている。
【０００９】
図２（ａ）は、図1（ｂ）のカメラ姿勢を時計回転方向に９０度回転した縦位置＋９０度通常撮影時のカメラ１００の姿勢を示す。撮影者はカメラ１００の本体部１０を下側にして縦位置に構える。撮影レンズ２１は撮影者とは反対側の被写体に向けられている。図２（ｂ）は、縦位置＋９０度自分撮り撮影時のカメラ１００の姿勢を示す。撮影者はカメラ１００を縦位置に構え、撮影レンズ２１は撮影者に向けられている。すなわち、撮影レンズ２１は背面モニタ１１の表示面側に向けられている。
【００１０】
図３（ａ）は、図1（ｂ）のカメラ姿勢を反時計回転方向に９０度回転した縦位置−９０度通常撮影時のカメラ１００の姿勢を示す。撮影者はカメラ１００の本体部１０を上側にして縦位置に構える。撮影レンズ２１は撮影者とは反対側の被写体に向けられている。図３（ｂ）は、縦位置−９０度自分撮り撮影時のカメラ１００の姿勢を示す。撮影者はカメラ１００を縦位置に構え、撮影レンズ２１は撮影者に向けられている。すなわち、撮影レンズ２１は背面モニタ１１の表示面側に向けられている。
【００１１】
図４は本発明に係るデジタルカメラのブロック図である。デジタルカメラ１００は、鏡筒ユニット２０と、ＡＦＥ信号処理回路１２と、画像処理回路１３と、ＳＤＲＡＭ１４と、内蔵メモリ１５と、外部メモリ１６と、表示モニタ１１と、縦横センサ１７と、方向検出スイッチ１８とを備えている。
【００１２】
鏡筒ユニット２０は、撮影レンズ２１と撮像素子２２とを備える。撮影レンズ２１を透過した被写体光束は、ＣＣＤ等の撮像素子２２の受光面に結像する。撮像素子２２は受光面上に結像された被写体像を撮像し、画像信号を出力する。撮像素子２２は、撮影準備中は所定時間間隔で撮像を繰り返し行い、撮影が指示されると、設定されている制御露出値で撮像を行う。撮像素子２２から出力される画像信号は、ＡＦＥ信号処理回路１２でアナログ信号処理が施され、図示しないＡ／Ｄ変換器によりデジタル信号に変換される。デジタル撮像信号は画像処理回路１３へ供給される。画像処理回路１３は、ＡＳＩＣ１３ａとＣＰＵ１３ｂとを備え、入力される画像信号に対して種々の画像処理を施して画像データを生成する。
【００１３】
画像処理回路１３で生成された画像データは、バッファメモリであるＳＤＲＡＭ１４にいったん記憶される。画像処理回路１３は、ＳＤＲＡＭ１４の画像データに基づいて、撮影準備中はスルー画用画像データ（表示用画像データ）を作成して表示モニタ１１にスルー画を表示する。撮影が指示されたときは、画像処理回路１３は、ＳＤＲＡＭ１４の画像データに基づいて記録用画像データを作成する。また、撮影直後の短時間だけ、撮影した画像を表示モニタ１１に表示する。画像処理回路１３は、記録用画像データを圧縮してメモリカードなどの外部メモリ１６に記録する。内蔵メモリ１５はＣＰＵ１３ｂのワーキングメモリである。
【００１４】
ＣＰＵ１３ｂには、方向検出スイッチ１７と縦横センサ１８とが接続されている。方向検出スイッチ１７は、鏡筒ユニット２０が自分撮り撮影のため回転されたことを検出する。たとえば、図１（ｂ）に示す横位置通常撮影の姿勢から図１（ｃ）に示す横位置自分撮り撮影の姿勢に移行する際、鏡筒ユニット２０が本体部１０に対して４５度以上回転したときにオン信号を出力する。縦横センサ１８は、図１（ｂ）、（ｃ）の横位置撮影、図２（ａ）、（ｂ）の縦位置＋９０度撮影、および図３（ａ）、（ｂ）の縦位置−９０撮影におけるカメラの１００の姿勢をそれぞれ検出する。たとえば、図１（ｂ）の横位置撮影の姿勢から図２（ａ）に示す縦位置＋９０撮影の姿勢に移行する際、カメラ１００が水平線に対して＋４５度以上回転したときに＋９０度信号を出力する。図１（ｂ）の横位置撮影の姿勢から図３（ａ）に示す縦位置−９０撮影の姿勢に移行する際、カメラ１００が水平線に対して−４５度以上回転したときに−９０度信号を出力する。
【００１５】
カメラ１００は、レリーズボタンの半押し操作（撮影準備開始操作）でオンする半押しスイッチと、レリーズボタンの全押し操作（レリーズ操作）でオンするレリーズスイッチとを備えている。また、動画モード設定スイッチと再生モード設定スイッチも備えている。これらのスイッチは図示を省略する。
【００１６】
以上のように構成されたカメラにおいて、カメラ１００に電源が投入されると、撮像素子２２により撮像が繰り返し行われ、繰り返し得られる画像が表示モニタ１１に動画として表示される。このように、繰り返し撮像される動画をスルー画と呼び、撮影者はスルー画を見ながら構図決定を行うことができる。なお、スルー画が外部メモリ１５に記録されることはない。また、表示モニタ１１には、撮影した画像が撮影終了直後に短時間だけ表示される。この画像をフリーズ画と呼ぶ。さらに表示モニタ１１には、カメラ１００の外部メモリ１６に記録されている画像が再生表示される。この画像を再生画と呼ぶ。
【００１７】
図１〜図３を参照して、デジタルカメラ１００により横位置で静止画および動画を撮影する場合と、縦位置で静止画および動画を撮影する場合について説明する。
【００１８】
（Ａ）横位置撮影
横位置撮影は、静止画撮影と動画撮影を含み、静止画撮影と動画撮影は、それぞれ上述した通常撮影と自分撮り撮影を含む。すなわち、以下の４種類の撮影形態がある。
(1)横位置静止画通常撮影
(2)横位置静止画自分撮り撮影
(3)横位置動画通常撮影
(4)横位置動画自分撮り撮影
【００１９】
上記４つの撮影形態において、図示しない電源スイッチがオンされ、撮影モードが選択されている場合、撮像素子２２で撮像した被写体の画像データは画像処理回路１３で適宜処理され、１／３０秒のフレームレートの動画が表示モニタ１１に表示される。４つの撮影形態のうち、(1)および(3)の通常撮影時に表示モニタ１１に表示される画像は、図１（ｂ）に示すように同一の画像である。すなわち、右手に黒丸５０を付した人物５１について、撮影者が見たままの画像がスルー画として表示モニタ１１に表示される。また、(2)および(4)の自分撮り撮影時に表示モニタ１１に表示される画像は、図１（ｃ）に示すように同一の画像である。すなわち、右手に黒丸５０を付した人物５１の左右を反転した鏡像がスルー画として表示される。自分撮り撮影時のスルー画は、正立した被写体を左右反転して表示するものであり、通常撮影時のスルー画は、正立した被写体を左右反転せずに表示するものである。
【００２０】
（Ｂ）縦位置撮影
縦位置撮影は、カメラ１００の構えに応じて縦位置＋９０度撮影と縦位置−９０度撮影の２種類を含む。また、それぞれについて静止画撮影と動画撮影を含み、静止画撮影と動画撮影は、それぞれ上述した通常撮影と自分撮り撮影を含む。すなわち、以下の８種類の撮影形態がある。
(11)縦位置＋９０度静止画通常撮影            (15)縦位置−９０度静止画通常撮影
(12)縦位置＋９０度静止画自分撮り撮影        (16)縦位置−９０度静止画自分撮り撮影
(13)縦位置＋９０度動画通常撮影              (17)縦位置−９０度動画通常撮影
(14)縦位置＋９０度動画自分撮り撮影          (18)縦位置−９０度動画自分撮り撮影
【００２１】
上記８つの撮影形態において、図示しない電源スイッチがオンされ、撮影モードが選択されている場合、撮像素子２２で撮像した被写体の画像データは画像処理回路１３で適宜処理され、１／３０秒のフレームレートの動画が表示モニタ１１に表示される。８つの撮影形態のうち、(11),(13), (15) および(17)の通常撮影時に表示モニタ１１に表示される画像は、図２（ａ）および図３（ａ）に示すように同一の画像である。すなわち、右手に黒丸５０を付した人物５１について、撮影者が見たままの画像がスルー画として表示される。また、(12),(14), (16) および(18)の自分撮り撮影時に表示モニタ１１に表示される画像は、図２（ｂ）および図３（ｂ）に示すように同一の画像である。すなわち、右手に黒丸５０を付した人物５１の左右を反転した鏡像がスルー画として表示される。
【００２２】
（Ｃ）再生表示
図示しないスイッチにより再生モードが選択されると、画像処理回路１３は、再生が指示された画像を外部メモリ１６から読み出し、適宜画像処理を行って再生画像を作成して表示ニタ１１に表示する。上述した(1)横位置静止画通常撮影および(3)横位置動画通常撮影における再生表示画面を図５（ａ）に示す。上述した(2)横位置静止画自分撮り撮影および(4)横位置動画自分撮り撮影における再生表示画面を図５（ｂ）に示す。上述した(11)縦位置＋９０度静止画通常撮影、(13)縦位置＋９０度動画通常撮影、(15)縦位置−９０度静止画通常撮影および(17)縦位置−９０度動画通常撮影における再生表示画面を図６（ａ）に示す。上述した(12)縦位置＋９０度静止画自分撮り撮影、(14)縦位置＋９０度動画自分撮り撮影、(16)縦位置−９０度静止画自分撮り撮影および(18)縦位置−９０度動画自分撮り撮影における再生表示画面を図６（ｂ）に示す。
【００２３】
以下、横位置動画撮影および縦位置動画撮影について、撮像素子２２上に結像した被写体像、撮像素子２２から読み出してＳＤＲＡＭ（バッファ）１４に一時記憶され画像データ、この画像データに基づいて作成されるスルー画データ、記録用画像データ、再生表示用画像データについて詳細に説明する。
【００２４】
（Ａ）横位置動画撮影
まず、撮像素子２２の上下方向、左右方向および上辺、下辺について説明する。横位置通常撮影姿勢において、カメラの水平軸と垂直軸を図１（ｂ）に示すように定義すると、横位置通常撮影姿勢においては、長方形形状である撮像素子２２の左右長手方向は水平軸が延在する方向と一致する。撮像素子２２の上下方向は垂直軸の延在方向となる。すなわち、撮像素子２２の上辺２２Ｕは図１（ｂ）においては上側に位置し、下辺２２Ｌは下側に位置する。図１（ｂ）において、ＲＯは、撮像素子２２の信号読み取り開始位置を示し、背面から見て撮像素子２２の右上角部に位置する。
【００２５】
一方、横位置自分撮り撮影姿勢においても、撮像素子２２の左右長手方向は水平軸が延在する方向と一致し、上下方向は垂直軸の延在方向となる。しかし、横位置自分撮り撮影姿勢は、図１（ｂ）の姿勢から、鏡筒ユニット２０を水平軸回りに１８０度回転させた姿勢であるから、撮像素子２２の上辺２２Ｕは図１（ｃ）において下側に位置し、上辺２２Ｌは上側に位置する。図１（ｃ）において、信号読み取り開始位置ＲＯは、正面から見て撮像素子２２の右下角部に位置する。
【００２６】
（横位置通常撮影）
横位置通常動画撮影時の画像データおよび表示画像について図７（ａ１）〜（ｆ１）を参照して説明する。図７（ａ１）は、右手に黒丸５０を付した人物５１を横位置姿勢で撮影する状況を示している。図７（ｂ１）は、撮像素子２２上に結像した被写体像、図7（ｃ１）は、撮像素子２２から読み出してＳＤＲＡＭ１４に一時記憶された画像データ、図7（ｄ１）は、一時記憶された（ｃ１）の画像データに基づいて作成されたスルー画データ、図7（ｅ１）は記録媒体に記録するための画像データ（記録用画像データ）、図7（ｆ１）は再生表示用画像データを示す。
【００２７】
図７（ａ１）の横位置通常撮影では、図７（ｂ１）に示すように、撮像素子２２の受光面上に人物５１の被写体像が上下逆さま、かつ左右反転状態で結像する。画像処理回路１３は、撮像素子２２に蓄積された電荷を、たとえば、撮像素子２２の原点ＲＯから右下角部ＲＥまで順に撮像信号を読み出す。画像処理回路１３は、読み出した撮像信号をＳＤＲＡＭ１４に格納する。図７（ｃ１）に示すように、ＳＤＲＡＭ１４には、被写体である人物５１が上下逆さま、かつ左右反転状態で記録される。図７（ｂ１）において、ＷＯはＳＤＲＡＭ１４の書き込み開始原点を示し、撮像素子２２から読み出される撮像信号はこの書き込み開始原点から書き込まれる。
【００２８】
画像処理回路１３は、ＳＤＲＡＭ１４に一時記録される図７（ｃ１）の画像の上下を反転し、図７（ｄ１）に示す表示用画像データを作成する。表示用画像データは、たとえば、横３２０×縦２４０のＱＶＧＡサイズの画像データである。この表示画像データにより図１（ｂ）に示すようにモニタ１１に表示される画像が上述したスルー画である。なお、図７（ｄ１）のＤＯは、表示画像データを表示モニタ１１に描画する際の信号読み出し開始位置を示す。
【００２９】
画像処理回路１３は、図７（ｃ１）の画像データに基づいて、図７（ｅ１）に示すように、撮影者が見たままの記録用画像データを作成する。記録用画像データは、撮像素子２２の画素数に依存したサイズの画像データである。記録の際、画像データは必要に応じて図示しない画像圧縮回路で所定の圧縮形式に圧縮される。
【００３０】
画像処理回路１３は、図７（ｅ１）の記録用画像データに基づいて、図７（ｆ１）に示す再生画像を生成して表示モニタ１１に表示する。すなわち、図７（ｆ１）は、ＳＤＲＡＭ１４内のフレームメモリ領域に展開される再生画像データである。
【００３１】
（横位置自分撮り撮影）
横位置自分撮り撮影時の画像データおよび表示画像について図７（ａ２）〜（ｆ２）を参照して説明する。図７（ａ２）は、右手に黒丸５０を付した人物５１を横位置姿勢で自分撮り撮影する状況を示している。
【００３２】
図７（ａ２）の横位置自分撮り撮影において、図７（ｂ２）に示すように、撮像素子２２の受光面上に人物５１が上下逆さま、かつ左右反転状態で結像する。鏡筒ユニット２０が１８０度回転しているので、図７（ｂ２）では、右下角部に読み出し原点ＲＯが位置する。画像処理回路１３は、撮像素子２２に蓄積された電荷を、原点ＲＯから左上角部ＲＥまで順に撮像信号を読み出す。画像処理回路１３は、読み出した撮像信号をＳＤＲＡＭ１４に格納する。図７（ｃ２）はＳＤＲＡＭ１４に格納された画像を示している。ＳＤＲＡＭ１４には、被写体である人物５１が正立し、かつ左右反転状態で記録される。図７（ｂ２）において、ＷＯはＳＤＲＡＭ１４の書き込み開始原点を示し、この書き込み開始原点から撮像素子２２から読み出される撮像信号が書き込まれる。
【００３３】
画像処理回路１３は、ＳＤＲＡＭ１４に一時記録される図７（ｃ２）の画像の上下左右を反転することなく、図７（ｄ２）に示す表示用画像データを作成する。この表示画像データにより図１（ｃ）に示すようにモニタ１１にスルー画が表示される。画像処理回路１３は、図７（ｃ２）の画像データの左右を反転して、図７（ｅ２）に示すような記録用画像データを作成する。
【００３４】
画像処理回路１３は、図７（ｅ２）の記録用画像データに基づいて、図７（ｆ２）に示す再生画像を生成して表示モニタ１１に表示する。すなわち、図７（ｆ２）は、ＳＤＲＡＭ１４内のフレームメモリ領域に展開される再生画像データである。
【００３５】
以上は、横位置動画撮影について説明したが、横位置静止画撮影においても、画像処理回路１３が適宜の画像処理を行ない、上述したと同じスルー画表示用画像データ、記録用画像データ、および再生用画像データが作成される。
【００３６】
次に、縦位置動画撮影について説明する、
（Ｂ）縦位置＋９０度動画撮影
（縦位置＋９０度通常撮影）
縦位置＋９０度通常動画撮影時の画像データおよび表示画像について図８（ａ１）〜（ｆ１）を参照して説明する。図８（ａ１）は、右手に黒丸５０を付した人物５１を縦位置＋９０度姿勢で通常動画撮影する状況を示している。
【００３７】
図８（ａ１）の縦位置＋９０度通常撮影では、図８（ｂ１）に示すように、撮像素子２２の受光面上に人物５１が上下逆さま、かつ左右反転状態で結像する。画像処理回路１３は、撮像素子２２に蓄積された電荷を、たとえば、撮像素子２２の原点ＲＯから右上角部ＲＥまで順に撮像信号を読み出す。画像処理回路１３は、読み出した撮像信号をＳＤＲＡＭ１４に格納する。図８（ｃ１）はＳＤＲＡＭ１４に格納された画像を示している。ＳＤＲＡＭ１４には、被写体である人物５１が上下逆さま、かつ左右反転状態で記録される。図８（ｃ１）において、ＷＯはＳＤＲＡＭ１４の書き込み開始原点を示し、この書き込み開始原点から撮像素子２２から読み出される撮像信号が書き込まれる。
【００３８】
画像処理回路１３は、ＳＤＲＡＭ１４に一時記録される図８（ｃ１）の画像の上下を反転し、図８（ｄ１）に示す表示用画像データを作成する。表示画像データによりモニタ１１に図２（ａ）に示すスルー画が表示される。画像処理回路１３は、図８（ｃ１）の画像データの上下を反転して、図８（ｅ１）に示すような記録用画像データを作成する。
【００３９】
画像処理回路１３は、図８（ｅ１）の記録用画像データに基づいて、図８（ｆ１）に示す再生画像を生成して表示モニタ１１に表示する。すなわち、図８（ｆ１）は、ＳＤＲＡＭ１４内のフレームメモリ領域に展開される再生画像データである。
【００４０】
（縦位置＋９０度自分撮り撮影）
縦位置＋９０度自分撮り撮影時の画像データおよび表示画像について図８（ａ２）〜（ｆ２）を参照して説明する。図８（ａ２）は、右手に黒丸５０を付した人物５１を縦位置＋９０度の姿勢で自分撮り撮影する状況を示している。
【００４１】
図８（ａ２）の縦位置＋９０度自分撮り撮影において、図８（ｂ２）に示すように、撮像素子２２の受光面上に人物５１が上下逆さま、かつ左右反転状態で結像する。鏡筒ユニット２０が１８０度回転しているが、図８（ｂ２）では、図８（ｂ１）と同様に、左下角部に読み出し原点ＲＯが位置する。画像処理回路１３は、撮像素子２２に蓄積された電荷を、原点ＲＯから右上角部ＲＥまで順に撮像信号を読み出す。画像処理回路１３は、読み出した撮像信号をＳＤＲＡＭ１４に格納する。図８（ｃ２）はＳＤＲＡＭ１４に格納された画像を示している。ＳＤＲＡＭ１４には、被写体である人物５１が上下逆さ、かつ左右反転状態で記録される。図８（ｃ２）において、ＷＯはＳＤＲＡＭ１４の書き込み開始原点を示し、この書き込み開始原点から撮像素子２２から読み出される撮像信号が書き込まれる。
【００４２】
画像処理回路１３は、ＳＤＲＡＭ１４に一時記録される図８（ｃ２）の画像の上下左右を反転して、図８（ｄ２）に示す表示用画像データを作成する。この表示画像データによりモニタ１１に図２（ｃ）に示すスルー画が表示される。画像処理回路１３は、図８（ｃ２）の画像データの上下を反転して、図８（ｅ２）に示すような記録用画像データを作成する。
【００４３】
画像処理回路１３は、図８（ｅ２）の記録用画像データに基づいて、図８（ｆ２）に示す再生画像を生成して表示モニタ１１に表示する。すなわち、図８（ｆ２）は、ＳＤＲＡＭ１４内のフレームメモリ領域に展開される再生画像データである。
【００４４】
（Ｃ）縦位置−９０度動画撮影
縦位置−９０度通常動画撮影時の画像データおよび表示画像について図９（ａ１）〜（ｆ１）を参照して説明する。図９（ａ１）は、右手に黒丸５０を付した人物５１を縦位置−９０度姿勢で通常動画撮影する状況を示している。
【００４５】
（縦位置−９０度通常撮影）
図９（ａ１）の縦位置−９０度通常撮影では、図９（ｂ１）に示すように、撮像素子２２の受光面上に人物５１が上下逆さま、かつ左右反転状態で結像する。画像処理回路１３は、撮像素子２２に蓄積された電荷を、たとえば、撮像素子２２の原点ＲＯから左下角部ＲＥまで順に撮像信号を読み出す。画像処理回路１３は、読み出した撮像信号をＳＤＲＡＭ１４に格納する。図９（ｃ１）はＳＤＲＡＭ１４に格納された画像を示している。ＳＤＲＡＭ１４には、被写体である人物５１が上下逆さま、かつ左右反転状態で記録される。図９（ｃ１）において、ＷＯはＳＤＲＡＭ１４の書き込み開始原点を示し、この書き込み開始原点から撮像素子２２から読み出される撮像信号が書き込まれる。
【００４６】
画像処理回路１３は、ＳＤＲＡＭ１４に一時記録される図９（ｃ１）の画像の上下を反転し、図９（ｄ１）に示す表示用画像データを作成する。この表示画像データによりモニタ１１に図３（ａ）に示すスルー画が表示される。画像処理回路１３は、図９（ｃ１）の画像データの上下を反転して、図９（ｅ１）に示すような記録用画像データを作成する。
【００４７】
画像処理回路１３は、図９（ｅ１）の記録用画像データに基づいて、図９（ｆ１）に示す再生画像を生成して表示モニタ１１に表示する。すなわち、図９（ｆ１）は、ＳＤＲＡＭ１４内のフレームメモリ領域に展開される再生画像データである。
【００４８】
（縦位置−９０度自分撮り撮影）
縦位置−９０度自分撮り撮影時の画像データおよび表示画像について図９（ａ２）〜（ｆ２）を参照して説明する。図９（ａ２）は、右手に黒丸５０を付した人物５１を縦位置−９０度の姿勢で自分撮り撮影する状況を示している。
【００４９】
図９（ａ２）の縦位置−９０度自分撮り撮影において、図９（ｂ２）に示すように、撮像素子２２の受光面上に人物５１が上下逆さま、かつ左右反転状態で結像する。鏡筒ユニット２０が１８０度回転しているが、図９（ｂ２）では、図９（ｂ１）と同様に、右上角部に読み出し原点ＲＯが位置する。画像処理回路１３は、撮像素子２２に蓄積された電荷を、原点ＲＯから左下角部ＲＥまで順に撮像信号を読み出す。画像処理回路１３は、読み出した撮像信号をＳＤＲＡＭ１４に格納する。図９（ｃ２）はＳＤＲＡＭ１４に格納された画像を示している。ＳＤＲＡＭ１４には、被写体である人物５１が上下逆さ、かつ左右反転状態で記録される。図９（ｃ２）において、ＷＯはＳＤＲＡＭ１４の書き込み開始原点を示し、この書き込み開始原点から撮像素子２２から読み出される撮像信号が書き込まれる。
【００５０】
画像処理回路１３は、ＳＤＲＡＭ１４に一時記録される図９（ｃ２）の画像の上下左右を反転して、図９（ｄ２）に示す表示用画像データを作成する。この表示画像データによりモニタ１１に図３（ｂ）に示すスルー画が表示される。画像処理回路１３は、図９（ｃ２）の画像データの上下を反転して、図９（ｅ２）に示すような記録用画像データを作成する。
【００５１】
画像処理回路１３は、図９（ｅ２）の記録用画像データに基づいて、図９（ｆ２）に示す再生画像を生成して表示モニタ１１に表示する。すなわち、図９（ｆ２）は、ＳＤＲＡＭ１４内のフレームメモリ領域に展開される再生画像データである。
【００５２】
以上は、縦位置動画撮影について説明したが、縦位置静止画撮影においても、画像処理回路１３が適宜の画像処理を行ない、上述したと同じスルー画表示用画像データ、記録用画像データ、および再生用画像データが作成される。
【００５３】
以上説明したとおり、この実施の形態のカメラ１００では、図７（ａ１）〜（ｆ１）、図７（ａ２）〜（ｆ２）、図８（ａ１）〜（ｆ１）、図８（ａ２）〜（ｆ２）、および図９（ａ１）〜（ｆ１）、および図９（ａ２）〜（ｆ２）に示したように、ＳＤＲＡＭ１４に一時記憶した画像データに基づいて、スルー画表示用画像データ、記録用画像データ、再生表示用画像データをそれぞれ異なる画像処理で作成する。すなわち、画像処理回路１３は、方向スイッチ１７，縦横スイッチ１８，静止画モード、動画モードなどの情報に基づいて、これらの画像処理を適宜実行する。したがって、上述した全ての撮影形態において、共通した表示形態のスルー画表示用画像データ、記録用画像データ、再生画像データが作成される。
【００５４】
以上説明した実施の形態によるカメラでは次のような作用効果を奏する。
（１）動画自分撮り撮影時、被写体が正立し、かつ左右反転状態のスルー画（鏡像）が表示されるので、ユーザに違和感を与えることがない。
（２）縦位置＋９０度撮影、縦位置−９０度撮影においても、縦横センサ１８の検出信号に基づいて、動画、静止画に拘わらず、被写体が正立、かつ左右反転状態のスルー画（鏡像）を表示するようにしたので、静止画のスルー画と同様な表示形態となり、ユーザに違和感を与えることがない。
【００５５】
なお、撮影した画像を撮影直後に短時間だけモニタ１１に表示する確認画面、すなわち、フリーズ画について、全ての撮影形態、この実施の形態では、１２種類の撮影形態のいずれでも、カメラの姿勢も考慮して、常に被写体を正立させ、撮影者が見たままの画像として表示することが好ましい。
【００５６】
本発明は、以上の実施の形態に何ら限定されず、種々のデータ処理方法、姿勢検出方法、自分撮り撮影検出方法を採用しても良い。すなわち、あらゆる通常撮影形態において同一の表示形態でスルー画表示を行い、また、あらゆる自分撮り撮影形態において同一の表示形態でスルー画表示を行うものであれば、どのよう手法も採用し得る。
【図面の簡単な説明】
【００５７】
【図１】本発明の一実施形態におけるカメラの横位置撮影を説明する図
【図２】本発明の一実施形態におけるカメラの縦位置＋９０度撮影を説明する図
【図３】本発明の一実施形態におけるカメラの縦位置−９０度撮影を説明する図
【図４】本発明の一実施形態におけるカメラの制御ブロック図
【図５】本発明の一実施形態におけるカメラの横位置撮影の再生表示画面を説明する図
【図６】本発明の一実施形態におけるカメラの縦位置撮影の再生表示画面を説明する図
【図７】本発明の一実施形態におけるカメラの横位置撮影のデータ構造などを説明する図
【図８】本発明の一実施形態におけるカメラの縦位置＋９０度撮影のデータ構造などを説明する図
【図９】本発明の一実施形態におけるカメラの縦位置−９０度撮影のデータ構造などを説明する図
【符号の説明】
【００５８】
１０  本体部                    １１  表示モニタ
１３  画像処理回路              １３ａ  ＡＳＩＣ
１３ｂ  ＣＰＵ                  １４  ＳＤＲＡＭ
１６  外部メモリ                １７    方向検出スイッチ
１８    縦横センサ              ２０  鏡筒ユニット
２１    撮影レンズ              ２２  撮像素子２２
【図１】
2008053925.tif 000003
【図２】
2008053925.tif 000004
【図３】
2008053925.tif 000005
【図４】
2008053925.tif 000006
【図５】
2008053925.tif 000007
【図６】
2008053925.tif 000008
【図７】
2008053925.tif 000009
【図８】
2008053925.tif 000010
【図９】
2008053925.tif 000011